(57)【要約】【課題】  原稿を汚すことなく簡便な方法で画像処理を行える画像処理装置を提供する。【解決手段】  原稿の画像を読み取る画像読み取り手段と、画像情報を記憶するための画像記憶手段と、画像情報を紙に印刷する印刷手段を有する画像処理装置を、記憶されている画像情報を印刷した紙の上に追記した後に読み込んだ画像情報が、記憶されているどの画像情報に追記したものであるかを識別する記憶画像識別手段、読み取られた追記された画像情報から、追記された編集指示情報を編集指示前の画像情報から分離し、その編集指示が編集の対象となる領域とそこにどのような編集を施すことを指示しているかを識別する編集指示識別手段、識別された前記記憶手段に記憶されている画像情報に対し識別した領域情報に存在する画像データを識別した編集を行う画像編集手段を有するよう構成する。【選択図】        図１
2006109142.tif 000002
【特許請求の範囲】
【請求項１】
原稿の画像を読み取る画像読み取り手段と、前記画像読み取り手段や他の手段によって形成された画像情報を記憶するための画像記憶手段と、画像情報を紙に印刷する印刷手段を有する画像処理装置において、
前記画像記憶手段によって記憶されている画像情報を前記印刷手段により印刷した紙の上に追記した後に前記画像読み取り手段によって読み込んだ画像情報が、前記記憶手段に記憶されているどの画像情報に追記したものであるかを識別する記憶画像識別手段、前記画像読み取り手段によって読み取られた追記された画像情報から、追記された編集指示情報を編集指示前の画像情報から分離し、その編集指示が編集の対象となる領域とそこにどのような編集を施すことを指示しているかを識別する編集指示識別手段と、
前記記憶画像識別手段によって識別された前記記憶手段に記憶されている画像情報に対し、前記編集指示識別手段が識別した領域情報に存在する画像データを前記編集指示識別手段が識別した編集を行う画像編集手段を有することを特徴とする画像処理装置。
【請求項２】
前記記憶手段によって記憶されている画像を削除する削除手段を有し、
編集および印刷が終了したときに前記記憶手段によって記憶されていた編集対象となった画像情報を削除することを特徴とする請求項１に記載の画像処理装置。
【請求項３】
前記印刷手段が、前記画像記憶手段に記憶されている複数の画像を１枚の用紙に多面付けして印刷し、前記編集指示認識手段が１枚の用紙に多面付けして印刷された画像に対して施された編集指示を、異なる前記画像記憶手段に記憶されている画像に対する編集指示であると認識することを特徴とする請求項１に記載の画像処理装置。
【請求項４】
画像情報を格納する前期記憶手段内の場所を指定する画像格納先指定手段を有し、編集の終了した画像が前記読み取り手段によって読み取られて、前記画像記憶手段によって記憶されている画像とは異なる前記画像格納先指定手段によって指定された場所に記憶することを特徴とする請求項１に記載の画像処理装置。
【請求項５】
編集の終了した画像を前記読み取り手段によって読み取り、前記画像記憶手段によって記憶されている画像とは異なるところに記憶し、画像の編集履歴として認識する画像編集履歴管理手段を有し、前記画像編集履歴手段によって編集前の画像を取り出すことを特徴とする請求項１に記載の画像処理装置。
【請求項６】
前記編集指示認識手段で認識できる編集が、領域指定と指定された領域の拡大、縮小、移動、トリミング、色の変更、マスキング（塗りつぶし）であることを特徴とする請求項１に記載の画像処理装置。
【請求項７】
原稿の画像を読み取り、読み取った画像情報を記憶し、画像情報を紙に印刷する画像処理方式において、
記憶されている画像情報を印刷した紙の上に追記されたものを読み込んだ画像情報が、記憶されているどの画像情報に編集指示がされたものかを識別し、読み取られた編集指示が追記された画像情報から、追記された編集指示情報を編集指示前の画像情報から分離し、編集の対象となる領域とそこにどのような編集を施すことを指示しているかを識別し、
識別された記憶されている画像情報に対し、識別した領域情報に存在する画像データに対し識別した編集を行うことを特徴とする画像処理方式。
【請求項８】
請求項７に記載の画像処理方式を実現するソフトウェアを格納している記憶媒体。
【発明の詳細な説明】
【技術分野】
【０００１】
本発明は、デジタル複写機等において行われる画像処理に関し、特に画像処理装置及び画像処理方式及び記憶媒体に関するものである。
【背景技術】
【０００２】
従来から、デジタル複写機等において、スキャナなどの入力装置によって入力された画像を編集して印刷する方法がいくつか提案されている。
【０００３】
原稿に編集すべき領域を、マーカーペン等を使用してマーキングし、マーキングを施した原稿をスキャナで入力し、マーキングされた領域を認識し、認識した領域に存在するイメージに対してメニュー等で指示された編集処理（色の変更、塗りつぶし、切り抜きなど）を行うもの（例えば、特許文献１参照）がある。
【０００４】
しかし、原稿をマーカーペンによってマーキングするため、原稿を汚してしまうことになっていた。原稿を汚さずに済むように、原稿とは別の用紙にマーキングだけを行う方法（例えば、特許文献２参照）や、マーキングをデジタイザなどの座標入力装置を使用して行う方法（例えば、特許文献３参照）がある。
【０００５】
どのような編集を行うかをどう指示するかという観点から見ると、マーキングした用紙上またはデジタイザによってマーキングした箇所にシンボルなどによって編集指示を手書きで行う方法（例えば、特許文献４参照）や、編集指示を操作卓などに表示されたメニュー等によって選択する方法がある。
【０００６】
以下、図により従来の画像編集方法を説明する。図１０は従来の画像編集方法における操作方法を模式的にあらわしたものである。同図において、１００１０は原稿を読み取り画像編集処理を行ない印刷するデジタル複合機、１００２０はデジタル複合機１００１０の操作を指示する操作パネル上に表示される操作画面、１００３０は編集の対象となる原稿、１００４０は編集の対象範囲を指定するためのマーキングシート、１００５０は原稿１００３０とマーキングシート１００４０をデジタル複合機１００１０に読み込ませ編集処理を施し印刷した印刷結果である。
【０００７】
以下、処理方法を時系列に沿って説明する。
【０００８】
１）デジタル複合機１００１０のドキュメントを読み込むためのスキャナに送り込むドキュメントフィーダに、マーキングシート１００４０、原稿１００３０をこの順番に読み込まれるようにセットする。
【０００９】
２）デジタル複合機１００１０の操作パネルにおいて、編集を行う操作画面１００２０を呼び出す。呼び出された操作画面上でどのような編集を行うかを選択する。本説明においては「塗りつぶし」を選択するものと仮定する。
【００１０】
３）編集を選択して実行ボタンを押下すると、ドキュメントフィーダにセットされたマーキングシート１００４０と原稿１００３０が読み込まれ、各々の画像イメージが形成される。
【００１１】
４）マーキングシート１００４０から得られた画像イメージから、編集対象領域としてマークされた矩形領域を検出する。この矩形領域の検出は画像イメージの矩形領域の各辺と思われる曲線を水平線または垂直線で近似しそれらによって囲まれた部分を矩形領域として認識することによって行う。
【００１２】
５）原稿１００３０から形成した原稿イメージのマーキングシート１００４０から抽出された矩形領域に相当する部分に塗りつぶしイメージを重畳する。
【００１３】
６）原稿イメージに塗りつぶしイメージを重畳した画像イメージをデジタル複合機１００１０の印刷機能を使用して印刷結果１００５０を印刷する。
【特許文献１】特開平５−２１１６００号公報
【特許文献２】特許第３２１４５１０号公報
【特許文献３】特開平６−１１３１０８号公報
【特許文献４】特開平５−２４４３８７号公報
【発明の開示】
【発明が解決しようとする課題】
【００１４】
元原稿に直接マーキングする方法では元原稿がマーキングによって汚れてしまうことになる。元原稿を汚さないように別の紙を使いマーキングだけ行う方法では、原稿の上にマーキング用の紙を重ねてマーキングすることになり、マーキング用紙がずれることや、透明な紙で無い場合は原稿が確認しづらいなどマーキングがしづらいという問題がある。
【００１５】
また、マーキング用の紙ではなく、装置に備えられたタッチパネルやデジタイザなどの装置を使うと、編集指示をしている間その装置を占有してしまい他の利用者が利用できなくなることや、編集指示のためのハードウェアを追加する必要があるため装置全体のコスト高の要因になるという問題がある。
【００１６】
また、原稿に領域だけ指定してどのような編集を行うかを別の手段によって行う場合、個別の領域に対して異なる編集指示をすることが困難であるという問題が存在する。
【００１７】
元原稿を汚すことなく、機器を占有せずに簡便な画像編集手段を提供することを目的とする。
【課題を解決するための手段】
【００１８】
上記目的を達成するため、請求項１の画像処理装置は、原稿の画像を読み取る画像読み取り手段と、前記画像読み取り手段や他の手段によって形成された画像情報を記憶するための画像記憶手段と、画像情報を紙に印刷する印刷手段を有する画像処理装置において、
前記画像記憶手段によって記憶されている画像情報を前記印刷手段により印刷した紙の上に追記した後に前記画像読み取り手段によって読み込んだ画像情報が、前記記憶手段に記憶されているどの画像情報に追記したものであるかを識別する記憶画像識別手段、前記画像読み取り手段によって読み取られた追記された画像情報から、追記された編集指示情報を編集指示前の画像情報から分離し、その編集指示が編集の対象となる領域とそこにどのような編集を施すことを指示しているかを識別する編集指示識別手段と、
前記記憶画像識別手段によって識別された前記記憶手段に記憶されている画像情報に対し、前記編集指示識別手段が識別した領域情報に存在する画像データを前記編集指示識別手段が識別した編集を行う画像編集手段を有することを特徴とする。
【００１９】
請求項２の画像処理装置は、請求項１に記載の画像処理装置において、前記記憶手段によって記憶されている画像を削除する削除手段を有し、編集／印刷が終了したときに前記記憶手段によって記憶されていた画像情報を削除することを特徴とする。
【００２０】
請求項３の画像処理装置は、請求項１に記載の画像処理装置において、前記印刷手段が、前記画像記憶手段に記憶されている複数の画像を１枚の用紙に多面付けして印刷し、前記編集指示認識手段が１枚の用紙に多面付けして印刷された画像に対して施された編集指示を、異なる前記画像記憶手段に記憶されている画像に対する編集指示であると認識することを特徴とする。
【００２１】
請求項４の画像処理装置は、請求項１に記載の画像処理装置において、画像情報を格納する前期記憶手段内の場所を指定する画像格納先指定手段を有し、編集の終了した画像が前記読み取り手段によって読み取られて、前記画像記憶手段によって記憶されている画像とは異なる前記画像格納先指定手段によって指定された場所に記憶することを特徴とする。
【００２２】
請求項５の画像処理装置は、請求項１に記載の画像処理装置において、編集の終了した画像を前記読み取り手段によって読み取り、前記画像記憶手段によって記憶されている画像とは異なるところに記憶し、画像の編集履歴として認識する画像編集履歴管理手段を有し、前記画像編集履歴手段によって編集前の画像を取り出すことを特徴とする。
【００２３】
請求項６の画像処理装置は、請求項１に記載の画像処理装置において、前記編集指示認識手段で認識できる編集が、領域指定と指定された領域の拡大、縮小、移動、トリミング、色の変更、マスキング（塗りつぶし）であることを特徴とする。
【発明の効果】
【００２４】
以上本発明によれば、画像処理装置において、マーカーなどによって元となる原稿を汚すことなく、画像イメージに対する編集処理を指示することができる。
【００２５】
また、装置に特別な機能を持った機器を接続する必要が無く、編集指示を行う際に装置を占有する必要もないため、安価で稼動効率の良い画像編集装置を提供することができる。
【００２６】
さらに、編集の指示を人間が長年の間編集指示に慣れ親しんできた紙を使用することにより、より細かな編集指示を行うことができ、不慣れな使用者にも簡単に使用できる画像編集装置を提供することができる。原稿イメージが印刷されている紙に直接編集指示を書くため原稿を確認しながら編集指示ができ、編集のための紙を重ねないため重ねた紙がずれてしまうことを気にせずに編集指示することができる。
【００２７】
さらに、異なる編集処理を異なる編集対象領域に対して行うことを一度に指示することができる。
【発明を実施するための最良の形態】
【００２８】
本発明の実施例について説明する。
【実施例】
【００２９】
図１は、本実施例の概念を示す模式図である。
【００３０】
同図において１０１０はドキュメントをスキャンし得られた画像イメージを編集し印刷する機能を備えたデジタル複合機、１０２０はデジタル複合機１０１０で編集を行う元となるオリジナル原稿、１０３０は編集のために出力された編集シート、１０４０は編集シート１０３０に編集指示を書き込んだ書き込み済み編集シート、１０５０は書き込み済み編集シート１０４０をデジタル複合機１０１０に読み込んで編集を行ない編集したものを印刷して得られる編集結果である。
【００３１】
この図を用いて画像編集の操作方法を説明する。
【００３２】
１）編集したいオリジナル原稿１０２０をデジタル複合機１０１０のスキャナにセットする。
【００３３】
２）デジタル複合機１０１０に編集対象の原稿として読み取らせ、同時に編集シート１０３０を印刷する。
【００３４】
３）印刷された編集シート１０３０に編集したいところをマーキングし、マーキング内に編集内容を表すコマンドを記入する。この記入したものが書き込み済み編集シート１０４０となる。
【００３５】
４）書き込み済み編集シート１０４０をデジタル複合機１０１０に読み込ませる。
【００３６】
５）書き込み済み編集シート１０４０に指示された領域に対して指示された編集を施し、その結果得られた編集結果１０５０を印刷する。
【００３７】
図２は、デジタル複合機１０１０のハードウェア全体構成図である。
【００３８】
同図において、コントローラユニット２０１０は画像入力デバイスであるスキャナ２１７０や画像出力デバイスであるプリンタ２１８０と接続し、一方ではＬＡＮ  ２１２０や公衆回線（ＷＡＮ）２１４０．接続することで、画像情報やデバイス情報の入出力を行う。
【００３９】
ＣＰＵ  ２０２０はシステム全体を制御するコントローラである。ＲＡＭ  ２０３０はＣＰＵ  ２０２０が動作するためのシステムワークメモリであり、画像データを一時記憶するための画像メモリでもある。ＲＯＭ  ２０４０はブートＲＯＭであり、システムのブートプログラムが格納されている。ＨＤＤ  ２０５０はハードディスクドライブで、システムソフトウェア、画像データを格納する。
【００４０】
操作部Ｉ／Ｆ  ２０７０は操作部２０８０とのインタフェース部で、操作部２０８０に表示する画像データを操作部２０８０に対して出力する。また、操作部２０８０から本システム使用者が入力した情報を、ＣＰＵ  ２０２０に伝える役割をする。ネットワーク２１１０はＬＡＮ  ２１２０に接続し、情報の入出力を行う。モデム２１３０は公衆回線２１４０に接続し、情報の入出力を行う。以上のデバイスがシステムバス２０９０上に配置される。
【００４１】
イメージバスＩ／Ｆ  ２０６０はシステムバス２０９０と画像データを高速で転送する画像バス２１００を接続し、データ構造を変換するバスブリッジである。画像バス２１００は、ＰＣＩバスまたはＩＥＥＥ１３９４で構成される。画像バス２１００上には以下のデバイスが配置される。ＲＩＰ（ラスターイメージプロセッサ）２１５０はＰＤＬコードをビットマップイメージに展開する。デバイスＩ／Ｆ部２１６０は、画像入出力デバイスであるスキャナ２１７０やプリンタ２１８０とコントローラ２０１０を接続し、画像データの同期系／非同期系の変換を行う。
【００４２】
スキャナ画像処理部２１９０は、入力画像データに対し補正、加工、編集を行う。プリンタ画像処理部２２００は、プリント出力画像データに対して、プリンタの補正、解像度変換等を行う。
【００４３】
次に、デジタル複合機１０１０を構成する画像入出力デバイスを図３に示す。画像入力デバイスであるスキャナ部２１７０は、原稿となる紙上の画像を照明し、ＣＣＤラインセンサ（図示せず）を走査することで、ラスターイメージデータとして電気信号に変換する。原稿用紙は原稿フィーダ３０１０のトレイ３０２０にセットし、装置使用者が操作部２０８０から読み取り起動指示することにより、コントローラＣＰＵ  ２０２０がスキャナ２１７０に指示を与え、原稿フィーダ３０１０は原稿用紙を１枚ずつフィードし原稿画像の読み取り動作を行う。
【００４４】
画像出力デバイスであるプリンタ部２１８０は、ラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ  ２０２０からの指示によって開始する。プリンタ部２１８０には、異なる用紙サイズまたは異なる用紙向きを選択できるように複数の給紙段を持ち、それに対応した用紙カセット３０４０がある。また、排紙トレイ３０３０は印字し終わった用紙を受けるものである。
【００４５】
次に、操作部２０８０の構成を図４に示す。ＬＣＤ表示部４０１０は、ＬＣＤ上にタッチパネルシートが貼られており、システムの操作画面を表示するとともに、表示してあるキーが押されるとその位置情報をコントローラＣＰＵ  ２０２０に伝える。スタートキー４０２０は原稿画像の読み取り動作を開始する時などに用いる。スタートキー４０２０中央部には、緑と赤の２色ＬＥＤ  ４０３０があり、その色によってスタートキー４０２０が使える状態にあるかどうかを示す。ストップキー４０４０は稼働中の動作を止める働きをする。ＩＤキー４０５０は、使用者のユーザＩＤを入力する時に用いる。リセットキー４０６０は操作部からの設定を初期化する時に用いる。
【００４６】
図５は本実施例で操作部２０８０のＬＣＤ表示部４０１０に表示されるユーザインタフェースである。このユーザインタフェースを操作して使用者は本実施例の処理を指示する。使用者はアプリケーション切り替えボタン５０１０によってアプリケーションを切り替え、本実施例を実現するアプリケーションのインタフェースを呼び出す。オリジナル原稿ボタン５０２０と編集シートボタン５０３０はどちらか一方のみが有効になりこれからスキャンするドキュメントがオリジナル原稿なのかオリジナル原稿を複写した編集シートなのかを指定する。原稿削除スイッチ５０４０は編集シートボタン５０３０が選択されているときのみ有効でスキャンされて記憶されているオリジナル原稿のデータを削除するときに指定する。オリジナル原稿ボタン５０２０が選択されているときには原稿削除スイッチ５０４０は無効となりディム表示される。
【００４７】
図６は本実施例におけるソフトウェアの構成図である。同図において、全体の制御を行う制御部６０１０、ＨＤＤ  ２０５０、ＲＡＭ  ２０３０上に記憶されるデータを管理する記憶部６０２０、画像データに対する編集を行う画像編集部６０３０、操作部２０８０のＬＣＤ  ４０１０に表示されるユーザインタフェースを管理するユーザインタフェース部６０４０、画像データから文字列部分を取り出し文字コードに変換するＯＣＲ処理を行うＯＣＲ処理部６０５０、スキャナ２１７０を使用して画像データを読み取る読み取り処理部６０６０、プリンタ２１８０によって画像データを印刷する印刷処理部６０７０と、ネットワーク２１１０やモデム２１３０を使用して外部と通信を行う通信部からなる。
【００４８】
図７は本実施例の処理を示すフローチャートである。
【００４９】
以下、このフローチャートにより本実施例で行なわれる処理について説明する。
【００５０】
ステップＳ７０１０：
使用者は編集を行いたいドキュメントまたは編集シートを原稿フィーダ３０１０のトレイ３０２０にセットし、トレイ３０２０にセットしたドキュメントがオリジナル原稿か編集シートかに合わせてオリジナル原稿ボタン５０２０もしくは編集シートボタン５０３０を選択し、操作部２０８０のスタートキー４０２０を押下する。スタートキー４０２０が押下されると、操作部２０７０からの割り込みにより制御部６０１０にスタートキー４０２０が押されたことが通知される。
制御部６０１０は、読み取り処理部６０６０に読み取りを指示し、読み取り処理部はデバイスＩ／Ｆ  ２１６０を使用してスキャナ２１７０を動かし、原稿フィーダ３０１０によってドキュメントをフィードしドキュメントを読み込む。読み取り処理部６０６０は、読み込まれた画像イメージをイメージバスＩ／Ｆ  ２０６０を経由して受け取り、読み取り処理が終了したことを制御部６０１０に通知するとともに読み込んだ画像データを制御部６０１０に送る。
【００５１】
ステップＳ７０２０：
制御部６０１０はユーザインタフェース部６０４０により、使用者がオリジナル原稿ボタン５０２０を選択しているか編集シートボタン５０３０を選択しているかを知る。オリジナル原稿ボタン５０２０が選択されている場合はステップＳ７０３０へ進み、編集シートボタン５０３０が選択されている場合はステップＳ７０６０へ進む。
【００５２】
ステップＳ７０３０：
ステップＳ７０１０で読み込んだ画像イメージを記憶部６０２０に依頼してＨＤＤ  ２０５０に格納する。読み込まれたドキュメントの画像イメージには、日付と日ごとに初期化されるシーケンシャル番号、ページ番号（スキャンジョブの中で何番目にスキャンした画像データであるかを示す）からなるドキュメント識別番号が付与される。例えば、２００３年１２月１２日の５番目に読み込まれたドキュメントの２５ページ目には２００３１２１２０００５００２５という番号が付与される。このドキュメント識別番号とドキュメントの画像イメージのＨＤＤ  ２０５０での格納場所を組としてＨＤＤ  ２０５０上に記憶する。
【００５３】
ステップＳ７０４０：
制御部６０１０は、記憶部６０２０によってＨＤＤ  ２０５０に格納されている画像イメージを取り出す。画像処理部６０３０に指示し取り出した画像イメージの上にドキュメント識別番号をＯＣＲ処理部６０５０が認識可能な最小サイズのフォントを使用してレンダリングする。レンダリングする場所はドキュメントの左上で、プリンタ２１８０が印刷できる印刷可能領域ぎりぎりのところである。
【００５４】
ステップＳ７０５０：
ステップＳ７０４０で生成した編集シートイメージを、印刷処理部６０７０に指示してプリンタ２１８０によって印刷する。編集シートイメージはＲＩＰ  ２１５０によってレンダリングされ、プリンタ画像処理２２００により画像変換が施されてデバイスＩ／Ｆ  ２１６０からプリンタ２１６０へと送られることにより印刷される。印刷が終了した場合、生成した編集シートイメージは消去される。
【００５５】
ステップＳ７０６０：
ステップＳ７０１０で読み込んだ画像イメージを記憶部６０２０に依頼してＲＡＭ  ２０３０に一時的に格納する。
【００５６】
ステップＳ７０７０：
以下参照を簡単にするため、ステップＳ７０３０で格納したイメージをＯＩ（オリジナルイメージ）と呼び、ステップＳ７０６０で格納したイメージをＥＩ（編集イメージ）と呼ぶ。
【００５７】
ＥＩに施された編集対象領域と編集種別、ドキュメント識別番号を取り出す。
【００５８】
ドキュメント識別番号は、ステップＳ７０４０に示したように画像イメージの左上に存在するはずである。この部分にＯＣＲ処理部６０５０によってＯＳＲ処理を施しドキュメント識別番号を取得する。もし取得に失敗した場合は、ステップＳ７０１０でドキュメントをトレイ３０２０に載せるときに間違えた方向に載せたか、編集シートではないものを載せている可能性があるので、その旨を示すメッセージを、ユーザインタフェース部６０４０を使用して操作部２０８０のＬＣＤ  ４０１０に表示し処理を中止する。
【００５９】
ＥＩとＯＩのピクセルごとの差分を計算すると、そこに使用者が追加したイメージとＥＩに追加されたドキュメント識別番号が残る。差分からドキュメント識別番号の存在していた部分のイメージを削除する。スキャナ２１７０の原稿フィーダ３０１０の精度によってはスキューや歪みのためにＥＩに対して補正が必要な場合がある。また、ＥＩを印刷するときや読み込むときにノイズがＥＩに乗るがフィルタを掛けることによりノイズを低減する。このようにして生成されたイメージをＳＩ（差分イメージ）と呼ぶ。
【００６０】
編集コマンドは、複数の矩形と文字列、矢印によって表現される。そのため、ＯＣＲ処理部６０５０によってＳＩから矩形、矢印、文字列を抽出する。
【００６１】
図８は、編集指示を行う際の指定方法をまとめたものである。拡大は元もとの領域と、それを囲む拡大後の領域と外向きの矢印で表現する。縮小は元もとの領域とそれに内包される縮小後の領域と内向きの矢印で表現する。移動は元もとの領域と移動先を示す矢印で表現し、矢印の根元が矢印の先に移動するように指定された領域が平行移動する。トリミングは、片方が片方を完全に内包する二つの矩形によって表現し、内側の矩形の外側で外側の矩形の内側にあたる部分のイメージデータが消去される。色の変更は対象となる領域を示す矩形と、その内側に「イロ」という文字列とそれに続く色の名前で表現され、指定された表域内の有意な色情報が設定されているピクセルの色を指定された色情報に変更する。色の指定が無い場合は黒が指定されたものと認識する。塗りつぶしは、対象となる領域を示す矩形と、その内側に「ヌリ」という文字列とそれに続く色の名前で表現され、指定された領域内の全てのピクセルが指定された色の色情報が設定される。色の名前が指定されていない場合は黒が指定されたものとして処理する。
【００６２】
ＯＣＲ処理部６０５０が抽出した矩形、矢印、文字列から使用者が指定した編集コマンドを認識し、コマンドリストを作成する。コマンドリストにはコマンド種別と、コマンド種別ごとに異なる必要な情報が設定される。例えば、拡大では元になる矩形領域と編集後の矩形領域の情報がリストに設定される。
【００６３】
ステップＳ７０８０：
コマンドリストに基づいて、ＯＩに対して編集を行う。編集は画像編集部６０３０において行なわれる。
【００６４】
ステップＳ７０９０：
ステップＳ７０８０で編集した画像イメージを、印刷処理部６０７０に指示してプリンタ２１８０によって印刷する。編集した画像イメージはＲＩＰ  ２１５０によってレンダリングされ、プリンタ画像処理２２００により画像変換が施されてデバイスＩ／Ｆ  ２１６０からプリンタ２１６０へと送られることにより印刷される。印刷が終了した場合、生成した編集した画像イメージは消去される。
【００６５】
ステップＳ７１００：
ユーザインタフェース部６０４０によって、原稿削除スイッチ５０４０が設定されているかどうかを調べる。設定されている場合はステップＳ７１１０へ進む。
【００６６】
ステップＳ７１１０：
ステップＳ７０７０で認識したドキュメント識別番号とともに記憶されているオリジナル原稿イメージデータを記憶部６０２０によって、ＨＤＤ  ２０５０から削除する。
【００６７】
以上のように構成することで、簡便な操作で画像イメージの編集を行うことができる。
【００６８】
本実施例では、編集シートを識別するドキュメント識別番号を、文字列を用いて印刷していたが、一次元のバーコードや、二次元のバーコードなどを用いて印刷し、スキャナでスキャンしたこれらのコードをドキュメント識別番号として認識することもできる。
【００６９】
本実施例では、一葉につき、１ページの原稿イメージを出力することにより、編集シートを生成しているが、図９に示すように一葉につき複数のページを割り付ける多面割付を行って編集シートを出力し、編集シートとして出力される紙の枚数を削減することができる。
【００７０】
この際のドキュメント識別番号には、一葉につき何面のドキュメントが印刷された編集シートであるかという情報を付加する必要がある。
【００７１】
また、本実施例では編集後の画像イメージをそのまま印刷しているが、編集シートを読み込む前に印刷するか否か、印刷しない場合はどこに格納するかを使用者に対して操作部２０８０を使用して問い合わせ、使用者の指示した場所に格納するよう構成することも可能である。
【００７２】
さらに本実施例では、編集及び印刷が終了した原稿イメージを削除するよう構成しているが、原稿イメージと編集後のイメージを記憶部６０２０によりＨＤＤ  ２０５０に記憶しておくことにより、編集履歴を残しておいて編集前のイメージを出力することを可能にすることができる。
【図面の簡単な説明】
【００７３】
【図１】実施例のシステム概念図
【図２】デジタル複合機のハードウェア構成図
【図３】デジタル複合機の画像入出力デバイス構成図
【図４】デジタル複合機の操作部の構成図
【図５】デジタル複合機の操作部表示を示す図
【図６】実施例のソフトウェア構成図
【図７】実施例の処理フローチャート
【図８】編集指示一覧を示す図
【図９】多面付け編集シートを示す図
【図１０】従来例のシステム概念図
【符号の説明】
【００７４】
１０１０  デジタル複合機
１０２０  オリジナル原稿
１０３０  編集シート
１０４０  書き込み済み編集シート
１０５０  編集結果
２０８０  操作部
２１７０  スキャナ
２１８０  プリンタ
【図２】
2006109142.tif 000003
【図７】
2006109142.tif 000004
【図８】
2006109142.tif 000005
【図１】
2006109142.tif 000006
【図３】
2006109142.tif 000007
【図４】
2006109142.tif 000008
【図５】
2006109142.tif 000009
【図６】
2006109142.tif 000010
【図９】
2006109142.tif 000011
【図１０】
2006109142.tif 000012